(57)【要約】【課題】踏み板の上面を被覆したシート材の損傷を防止できる階段踏み板を提供する。【解決手段】階段踏み板１は、踏み板１０の段鼻部１１の切り欠き空間１２に配設した軟質材２０と、軟質材２０の上面２１および踏み板１０の上面１３を被覆したシート材３０とを備えており、軟質材２０は、その上部に、切り欠き空間１２に隣接する、踏み板１０の上面１３側の角部１５を上方より覆う庇部２３を備えている。【選択図】図１
2017053151.tif 000002
【特許請求の範囲】
【請求項１】
踏み板と、該踏み板の段鼻部の切り欠き空間に配設した軟質材と、該軟質材の上面および前記踏み板の上面を被覆したシート材とを備えた階段踏み板において、
前記軟質材は、その上部に、前記切り欠き空間に隣接する、前記踏み板の上面側の角部を上方より覆う庇部を備えていることを特徴とする階段踏み板。
【請求項２】
請求項１において、
前記庇部は、その上面が先端に向けて降下傾斜した形状とされる、階段踏み板。
【請求項３】
請求項１または２において、
前記軟質材は、前記踏み板の上面よりも上方に突出し、前記軟質材の上面が後端から前端に向けて上昇傾斜した形状とされる、階段踏み板。
【請求項４】
請求項１〜３のいずれか１項において、
前記軟質材は、その前部に、前記切り欠き空間に隣接する、前記踏み板の前面側の角部を前方より覆う前垂れ部を備えており、
前記シート材は、さらに前記軟質材の前端面および前記踏み板の前端面を被覆している、階段踏み板。
【発明の詳細な説明】
【技術分野】
【０００１】
本発明は階段踏み板に関する。
【背景技術】
【０００２】
従来より、人が階段の昇降で転倒して段鼻部分で脚部や頭部等を打つ事故が多く発生している。このことを考慮して、人が転倒した場合に怪我を最小限に抑えるために、段鼻部分に軟質材を配設して衝撃を緩和できる階段踏み板が種々提案されている（たとえば、特許文献１参照）。
【０００３】
この種の多くの階段踏み板は、木質材などよりなる踏み板の段鼻部に切り欠き空間が形成され、その切り欠き空間に軟質材が装着されており、装着された軟質材の上面を含む踏み板の上面がシート材により被覆されている。
【先行技術文献】
【特許文献】
【０００４】
【特許文献１】実開昭６２−１１０４２６号公報
【発明の概要】
【発明が解決しようとする課題】
【０００５】
しかしながら、踏み板の段鼻部に軟質材が設けられていれば、段鼻部分を踏んだときには軟質材が沈み込み、軟質材とその奥方に隣接する踏み板の角部との境界部に一時的に段差が生じる。このような段差の発生が連続して起これば、上面に貼り付けたシート材に負荷がかかり、シート材が裂けたり、破れたりするおそれがある。特に、軟質材と踏み板との境界部に相当する部位の損傷のおそれがある。
【０００６】
本発明は、このような事情を考慮して提案されたもので、その目的は、踏み板の上面を被覆したシート材の損傷を防止できる階段踏み板を提供することにある。また、踏み心地のよい階段踏み板を提供することも本発明の目的とされる。
【課題を解決するための手段】
【０００７】
上記目的を達成するため、本発明の階段踏み板は、踏み板の段鼻部の切り欠き空間に配設した軟質材と、軟質材の上面および踏み板の上面を被覆したシート材とを備えた階段踏み板において、軟質材は、その上部に、切り欠き空間に隣接する、踏み板の上面側の角部を上方より覆う庇部を備えていることを特徴とする。
【発明の効果】
【０００８】
本発明の階段踏み板によれば、上述した構成となっているため、踏み板の上面を被覆したシート材の損傷を防止することができる。また、人が踏んだときに大きく沈み込むことを防止でき、踏み心地に違和感を感じることも少ない。
【図面の簡単な説明】
【０００９】
【図１】本発明の一実施形態に係る階段踏み板の要部縦断面図および一部の拡大縦断面図である。
【図２】階段踏み板の要部分解縦断面図である。
【図３】階段踏み板の一部破断斜視図である。
【発明を実施するための形態】
【００１０】
以下に、本発明の実施の形態について、添付図面をもとに説明する。
【００１１】
以下に説明する実施形態に係る階段踏み板１は、図３に示すように、踏み板１０と、踏み板１０の段鼻部１１の切り欠き空間１２に配設した軟質材２０と、軟質材２０の上面２１および踏み板１０の上面１３を被覆したシート材３０とを備えている。この軟質材２０は、図１、図２に示すように、その上部に、切り欠き空間１２に隣接する、踏み板１０の上面１３側の角部１５を上方より覆う庇部２３を備えている。
【００１２】
添付図面のうち、図３ではシート材３０を図示したが、図１ではシート材３０を２点鎖線で図示し、図２の分解図ではシート材３０の図示を省略した。
【００１３】
この階段踏み板１は、図３に示すように、階段の踏み板部材として配設される板材である。階段踏み板１は、その前部が起立した蹴込み板３の上端に支持されるように連結され、後部が上段側の蹴込み板３の下部に連結されるように施工される。なお、本明細書および特許請求の範囲では、階段踏み板１における下側の蹴込み板３に対応した側端部を前部、上側の蹴込み板３に対応した側端部を後部として、前後方向を規定している。
【００１４】
階段踏み板１は、上述したように、その本体をなす木質材などよりなる踏み板１０と、段鼻部１１に配された軟質材２０と、踏み板１０の上面１３および軟質材２０の上面２１を含む階段踏み板１の表面部分を被覆したシート材３０とを備えている。後述するように、シート材３０は、さらに軟質材２０の前端面２２および踏み板１０の前端面１４も被覆している。
【００１５】
踏み板１０の段鼻部１１に相当する部位は、図２に示すように切り欠かれている。この切り欠き空間１２には、概ね角柱形状をなした軟質材２０が装着されている。切り欠き空間１２に面する段部上面には、軟質材２０の嵌合部２５が嵌合装着される、長手方向に沿って形成された嵌合溝１７が設けられている。この嵌合溝１７は角柱体を切り取った凹溝形状とされる。また、切り欠き空間１２よりも少し後方の踏み板１０の上面１３には２条の滑り止め用溝１８が形成されている。
【００１６】
一方、軟質材２０は、踏み板１０の切り欠き空間１２の形状に概ね合致した、切り欠き空間１２を埋めるような概ね角柱の形状とされる。軟質材２０は、たとえば塩化ビニル系の合成樹脂材などで製されている。
【００１７】
軟質材２０の形状は、具体的には、以下に説明するように、装着対象の踏み板１０との関係から、長手方向に沿った種々の突出条（庇部２３、前垂れ部２４、嵌合部２５）を有した形状となっている。これらの部位について順次説明する。
【００１８】
軟質材２０は、図１の縦断面図および拡大縦断面図に示すように、上部に、踏み板１０に取り付けたときに切り欠き空間１２の後方側に隣接する上面１３側の角部１５を上方より覆う庇部２３を備えている。また、軟質材２０は、その前部に、踏み板１０に取り付けたときに切り欠き空間１２に下方側に隣接する前面側の角部１６を前方より覆う前垂れ部２４を備えている。つまり、踏み板１０の２つの角部１５、１６、および、軟質材２０と踏み板１０との境界部は、シート材３０の取付前には表面に露出せず、そのためシート材３０の取付後にはシート材３０の裏面に接触しないようになっている。
【００１９】
庇部２３の上面は、図１の拡大図の矢印Ａで示すように、先端２３ａ（踏み板１０の後部側）に向けて降下傾斜した形状とされる。一方、前垂れ部２４の上面は、先端２４ａ（踏み板１０の下部方向）に向けて、踏み板１０に徐々に近づくように傾斜した形状とされる。
【００２０】
さらに、この軟質材２０は、段鼻部１１が切り欠かれていない状態での仮想的な前端角部１１ａ（図２参照）に相当する角部近傍が湾曲した形状となって膨らんでいる。また、軟質材２０は、踏み板１０へ取り付けた状態では、踏み板１０の上面１３よりもわずかに上方に突出しており、軟質材２０の上面２１が後端から前端に向けて上昇傾斜した形状とされている（図１の矢印Ｂ参照）。
【００２１】
前端面２２についても同様に、軟質材２０は、踏み板１０の前端面１４よりもわずかに前方に突出し、軟質材２０の前端面２２が下端から上端に向けて、より前方に突出するように傾斜した形状とされている（図１の矢印Ｃ参照）。前垂れ部２４は、庇部２３と同様、先端２４ａ側が薄く形成されている。
【００２２】
上述したように、軟質材２０はさらに、踏み板１０に装着するための嵌合部２５を備えている。この嵌合部２５は、図２に示すように、軟質材２０の下面より突出した角柱形状の突出条として形成されている。また、嵌合部２５の前面、後面のそれぞれには、上下２条ずつの鉤条片２５ａが形成されている。この鉤条片２５ａは、その下面が踏み板１０の嵌合溝１７への装着のための傾斜ガイド面となっており、先端が細くなったやじり形状とされる。
【００２３】
図２に示すように、嵌合部２５の鉤条片２５ａを除く本体の幅寸法Ｗ１は、踏み板１０の嵌合溝１７の幅寸法Ｗ３よりもやや小とされる。また、嵌合部２５の鉤条片２５ａの先端間寸法Ｗ２は、踏み板１０の嵌合溝１７の幅寸法Ｗ３よりもやや大とされる。
【００２４】
このように、軟質材２０の嵌合部２５は上述したような形状、寸法となっているため、踏み板１０の嵌合溝１７に容易に嵌合させることができる。また、軟質材２０を組み込んで階段踏み板１として形成した後には、嵌合部２５は鉤条片２５ａが弾性変形した状態で嵌合溝１７にしっかりと嵌合しているため、軟質材２０は容易には外れない。
【００２５】
さらに、軟質材２０は、その上に化粧用のシート材３０が接着されているので、それによっても外れにくくなり、ずれも発生しにくくなる。また、軟質材２０のずれ動きを少なくするためには、軟質材２０を切り欠き空間１２に面する両面に接着剤で固着することが望ましい。
【００２６】
以上に説明したように、階段踏み板１は前端の上側角部を含む段鼻部分が軟質材２０で形成されているため、人が階段の昇降で転倒して前端の上側角部で脚部や頭部を打った場合でも、怪我を最小限に抑えることができる。
【００２７】
この軟質材２０を設けた段鼻部分は、階段の人の昇降により足で踏まれて沈みがちとなるが、軟質材２０の上面２１が踏み板１０よりもやや突出しているので、踏み板１０との間で大きな沈み込みの発生を回避することができる。
【００２８】
特に、軟質材２０は踏み板１０の上面１３側の角部１５にあてがう庇部２３を有しているため、軟質材２０と踏み板１０の境界部において、傾斜角度が変わることがあっても、わずかな段差も生じにくい。また、庇部２３は先端２３ａ側が薄くなっているため、先端２３ａ部分での踏み板１０との段差も小さくすることができる。
【００２９】
このように、人に踏まれることで段鼻部分にわずかな上下変動が生じても、踏み板１０から軟質材２０にかけてほぼ面一な状態を維持することができる。その結果、シート材３０に対する負荷を少なくでき、シート材３０の損傷を防止することができる。特に、踏み板１０の角部１５がシート材３０に接触せず、また庇部２３近傍で段差がほとんど生じないので、庇部２３近傍において、シート材３０が裂けたり、破れたりするおそれはほとんどない。
【００３０】
また、軟質材２０の上下変動により、軟質材２０のうちで最も負荷がかかりやすい庇部２３の基端部２３ｂが先端２３ａよりも厚く形成されているため、基端部２３ｂでの庇部２３の損傷のおそれもあまりなく、基端部２３ｂでの破断も生じにくい。
【００３１】
さらに、軟質材２０の上面２１が前方に向けて上昇傾斜しており、人に踏まれて最も凹みやすい前端部が高く、最も凹みにくい後端部（庇部２３に近い部位）が低くなっている。そのため、軟質材２０は足で踏まれたときに、前部だけが大きく沈むようなおそれがなく、前後でバランスよく沈む。そのため、大きな沈み込みなどによる踏み心地の違和感を人が感じるおそれはほとんどない。
【００３２】
また、軟質材２０の前部についても、前垂れ部２４が踏み板１０の前面側の角部１６を覆っているため、軟質材２０と踏み板１０との前端面２２、１４における段差が表れにくく、その結果、シート材３０の損傷を防止することができる。
【００３３】
さらに、軟質材２０の上方および前方への突出形状は、熱収縮による不陸防止対策ともなり得る。
【符号の説明】
【００３４】
１            階段踏み板
１０          踏み板
１１          段鼻部
１２          切り欠き空間
１３          上面
１４          前端面
１５          （上面側の）角部
１６          （前面側の）角部
１７          嵌合溝
２０          軟質材
２１          上面
２２          前端面
２３          庇部
２３ａ        先端
２３ｂ        基端部
２４          前垂れ部
２４ａ        先端
２５          嵌合部
３０          シート材
【図１】
2017053151.tif 000003
【図２】
2017053151.tif 000004
【図３】
2017053151.tif 000005